(57)【要約】  本発明は、歯科用インプラントに関する。この歯科用インプラントは、中央の取り付け穴４を持つインプラント本体２と、取り付け穴４に噛み込むピン８を持つ構成要素（６）と、テンションスクリュー３０とを備える。このテンションスクリューは、構成要素６の貫通口２８を貫通して、取り付け穴４に設けられた雌ネジ２６にねじ込まれている。インプラント本体２に対する構成要素６の回転位置を設定するため、構成要素６の先端側領域４４には、第１および第２のインデックスエレメント４０、４２が配置されている。この歯科用インプラントの場合、少なくとも１つの第１のインデックスエレメント４０が、回転を固定されて、インプラント本体２または構成要素６に取り付けられている。そしてさらに、少なくとも２つの第２のインデックスエレメント４２が、構成要素６またはインプラント本体２に、回転を固定されて取り付けられている。これらのインデックスエレメント４０、４２は、とくに少なくとも一部が、ピン８のテーパ状の外面３８の領域に延びる。
2008528219.tif 000002
【特許請求の範囲】
【請求項１】
中央の取り付け穴（４）を持つインプラント本体（２）と、取り付け穴（４）に噛み込むピン（８）を持つ構成要素（６）と、テンションスクリュー（３０）とを含む歯科用インプラントであって、該テンションスクリューは、構成要素（６）の貫通口（２８）を貫通して、取り付け穴（４）に設けられた雌ネジ（２６）にねじ込まれており、インプラント本体（２）は、とくに、顎骨に挿入を行うツールのための挿入エレメント（１８）を、好ましくはインプラント本体の歯冠側末端（１６）の領域に備え、インプラント本体（２）のテーパ状内面（２４）と、該テーパ状内面にプリテンションのもとに密着するピン（８）のテーパ状外面（３８）とによって、インプラント本体（２）に対する構成要素（６）を回転固定するためのテーパ結合が設定され、
インプラント本体（２）に対する構成要素（６）の回転位置を設定するため、構成要素（６）の先端側領域（４４）に、第１および第２のインデックスエレメント（４０、４２）が設けられ、少なくとも１つの第１のインデックスエレメント（４０）が、回転を固定されて、インプラント本体（２）または構成要素（６）に取り付けられ、少なくとも２つの第２のインデックスエレメント（４２）が、構成要素（６）またはインプラント本体（２）に、回転を固定して取り付けられていることと、インデックスエレメント（４０、４２）は、とくに少なくとも一部が、ピン（８）のテーパ状外面（３８）の領域に延びることを特徴とする、歯科用インプラント。
【請求項２】
軸方向に、インプラント本体（２）の歯冠側末端（１６）と、インデックスエレメント（４０、４２）を含む前記先端側領域（４４）との間に、リングゾーン（４６）を設け、該リングゾーンにおいて、構成要素（６）のピン（８）のテーパ状外面（３８）が、全円周にわたって、インプラント本体（２）のテーパ状内面（２４）に密着すること、および／または先端側領域（４４）では、円周方向にインデックスエレメント（４０、４２）の間で、テーパ状外面（３８）がテーパ状内面（２４）に密着することを特徴とする、請求項１に記載の歯科用インプラント。
【請求項３】
先端側領域（４４）は、好ましくはリングゾーン（４６）の軸方向長さに応じて、インプラント本体（２）および／またはインプラント本体に設けられた挿入エレメント（１８）の歯冠側末端（１６）に対して、設定された間隔を取って設けられていることを特徴とする、請求項１または２に記載の歯科用インプラント。
【請求項４】
インデックスエレメント（４０、４２）が、インプラント本体（２）の雌ネジ（２６）に対し、および／またはテンションスクリュー（３０）の雄ネジ、とくにネジつきスリーブ（３２）に対して、設定された軸方向間隔（４３）をもって配置されていることを特徴とする、請求項１から３のいずれか一項に記載の歯科用インプラント。
【請求項５】
少なくとも１つの第１のインデックスエレメント（４０）が、テーパ状の面（２４または３８）から突出するフィンとして形成されていること、少なくとも２つの第２のインデックスエレメント（４２）が、テーパ状の面（３８または２４）における溝として形成されていること、および／または、フィン（４０）と溝（４２）とが、長手軸（２２）に対して傾斜して配置されているが、傾斜角度が、テーパ状の内面（２４）および／またはテーパ状の外面（３８）の傾斜角度とほぼ等しいことを特徴とする、請求項１から４のいずれか一項に記載の歯科用インプラント。
【請求項６】
第１のインデックスエレメント（４０）および／または第２のインデックスエレメント（４２）が、インプラント本体（２）および／または構成要素（６）の一体型構成部分であること、または該インデックスエレメント（４０、４２）が、別付けの部品（４８）の構成部分であり、該構成部品は、回転を固定されて、とくには取り外し不可能な状態で、かつ／または固定結合により、インプラント本体（２）および／または構成要素（６）と結合され、該部品（４８）が、好ましくはスリーブとして形成され、該スリーブは、とくにはインプラント本体（２）の中間領域（５０）に、回転を固定されて取り付けられ、中間領域（５０）には、先端方向に、好ましくは取り付け穴（４）の雌ネジ（２６）がつながることを特徴とする、請求項１から５のいずれか一項に記載の歯科用インプラント。
【請求項７】
顎骨に固定するため、インプラント本体（２）は、ネジ山の谷の深さが異なる領域を含む雄ネジ（１１）を持ち、領域（４７）は、インプラント本体（２）の先端方向への領域および／または先端側末端（１２）に割り当てられた領域よりも、ネジ山の谷の深さが減じられていることと、径方向内側に位置するインデックスエレメント（４０、４２）は、少なくとも一部が、雄ネジ（１１）の谷の深さが減じられている領域（４７）に割り当てられていることとを特徴とする、請求項１から６のいずれか一項に記載の歯科用インプラント。
【請求項８】
インプラント本体（２）の歯冠側末端（１６）の方向に雄ネジ（１１）に続き、ネジ山のない領域（１７）が設けられていることと、径方向内側で、ネジ山のない領域（１７）の少なくとも一部に、リングゾーン（４６）が割り当てられ、該リングゾーンの内側には、テーパ状の内面（２４）が円周方向を閉じられて形成され、ピン（８）のテーパ状の外面（３８）が面で密着すること、および／または、リングゾーン（４６）は、少なくとも一部が、径方向外側ではネジ本体（２）の雄ネジ（１１）が谷の深さを減じている領域の径方向内側に配置されることを特徴とする、請求項１から７のいずれか一項に記載の歯科用インプラント。
【請求項９】
テンションスクリュー（３０）の先端側末端には、ネジつきスリーブ（３２）が回転を固定されて取り付けられ、該ネジつきスリーブは、インプラント本体（２）の中央の取り付け穴（４）の雌ネジに噛み込むことと、該ネジつきスリーブ（３２）の外径は、テンションスクリュー（３０）の内径（３３）よりも大きいことを特長とする、請求項１から８のいずれか一項に記載の歯科用インプラント。
【請求項１０】
ピン（８）の好ましくは溝として形成されたインデックスエレメント（４２）は、ピン（８）のテーパ状外面（３８）によって設定されている包絡線の径方向内側に配置されていることを特徴とする、請求項１から９のいずれか一項に記載の歯科用インプラント。
【請求項１１】
請求項１から１０のいずれか一項に記載の歯科用インプラントを２個以上備えるインプラントシステムであって、インプラント本体（２）および／または構成要素（６）の外側ジオメトリーを、互いに異なる形状とすることができるが、そのほかの点では、中央の取り付け穴（４）とピン（８）の形状が一致しているため、インプラント本体（２）と構成要素（６）とを、任意に相互に組み合わせ可能でありかつ結合可能であることを特徴とする、インプラントシステム。
【請求項１２】
少なくとも１つの第１のインプラント本体（２）を備える請求項１から１０のいずれか一項に記載の歯科用インプラントを含むインプラントシステムであって、少なくともさらに１つのインプラント本体が設けられ、該さらなるインプラント本体は、インデックスエレメントを持つが、そのほかの点では、形状が第１のインプラント本体（２）と一致するかあるいは異なっており、少なくとも１つの構成要素（６）が、選択された第１のインデックスエレメント（４０）を持つ第１のインプラント本体（２）、あるいはさらなるインプラント本体に結合可能であることを特徴とする、インプラントシステム。
【請求項１３】
インデックスエレメント（４０）を持つある個数の第１の種類のインプラント本体が設けられ、該インプラント本体は、形状が異なり、とくには長さおよび／または直径が異なることと、さらにある個数の第２の種類のインプラント本体が設けられ、第２の種類のインプラント本体は、インデックスエレメントを持たず、形状が異なり、とくに長さおよび／または直径が異なることを特徴とする、請求項１２に記載のインプラントシステム。
【請求項１４】
少なくとも１つの第１の構成要素（６）を備える請求項１から１０のいずれか一項に記載の歯科用インプラントを含むインプラントシステムであって、少なくともさらに１つの構成要素が設けられ、該さらなる構成要素は、インデックスエレメントを持たないが、そのほかの点では、形状が第１の構成要素（６）と一致するかあるいは異なっており、少なくとも１つのインプラント本体（２）は、選択された第２のインデックスエレメント（４２）を持つ第１の構成要素（６）あるいはさらなる構成要素に結合可能であることを特徴とする、インプラントシステム。
【請求項１５】
インデックスエレメント（４２）を持つ第１の種類の構成要素（６）がある個数設けられていて、該構成要素は、形状が異なり、とくに長さおよび／または長手軸を基準にした頭部領域（２０）の傾斜が異なることと、さらには第２の種類の構成要素がある個数設けられ、該第２の種類の構成要素は、インデックスエレメント（４２）を持たず、そして形状が異なり、とくには長さが、および／または長手軸（２２）を基準にした頭部領域（２０）の傾斜が、異なることとを特徴とする、請求項１４に記載の歯科用インプラント。
【発明の詳細な説明】
【技術分野】
【０００１】
本発明は、請求項１のプリアンブルに記載された特徴の歯科用インプラントに関する。
【背景技術】
【０００２】
欧州特許第０７０７８３５Ｂ１号明細書からは、その種の歯科用インプラントが知られており、この歯科用インプラントは、手術２回型に構成され、顎骨に固定可能なインプラント本体と、テンションスクリューを用いてこのインプラントに結合可能な構成要素とを持つ。このインプラント本体は中央に取り付け穴を持ち、この取り付け穴は、歯冠側末端に向かって開くテーパ状内面と、さらに内側末端領域に、テンションスクリューを固定するための雌ネジとを備える。構成要素は、テンションスクリューが通る貫通口を備え、構成要素の口腔を向く頭部領域で、この貫通口は、上記テンションスクリューの頭部を収容するための拡幅部を備える。さらにこの構成要素は１本のピンを備え、このピンは、少なくともその一部が上記取り付け穴に噛み込み、またピンは、テーパ状の外面を持ち、この外面は、取り付け穴のテーパ状の内面に対応する。上記各テーパ面は、有利な方法として次のような形状とする。すなわち、インプラント本体と、テンションスクリューを用いて結合された構成要素との間に、自己ロック式のテーパ結合部が生じるような形状とする。この形状的および力学的結合によるテーパ結合部により、インプラント本体に対して構成要素がねじれたりしないよう、高負荷に長期間耐える固定措置が得られる。この場合、テンションスクリューを用いて、機能面で安定したプリテンションが設定され、あるいは得られる。また空隙や遊びのないテーパ結合部によって、バクテリアそのほかの病原体が歯科用インプラント内部に侵入するのが、確実に防止される。顎骨において相応に準備された開口部または穴に、インプラント本体を挿入するため、インプラントは、歯冠領域または歯冠側末端面に、挿入ツールのための挿入エレメントを備える。たとえば、スクリュードライバーを受ける、咬合部に向かって開いたスリットである。この手術２回型の歯科用インプラントの場合、構成要素は、インプラント本体に対して、長手軸を中心に無段階で位置決めできる。その結果として、とくに上部構造を作成するに必要な複製採得の際に、かつ／または歯科用ラボラトリーにおいて、特別な措置が必要になる。インプラント本体に対する構成要素のつながり具合または方向付けを、忠実な角度で得るための措置である。
【０００３】
さらに独国実用新案第９４１７１８２Ｕ１号明細書からは、歯代替物のために用いられるインプラントシステムが知られている。そのインプラント本体は、テーパ状内面につながる、多角形受け具として形成されたインデックスエレメントを備える。同様に構成要素も、軸方向にテーパ状外面につながる多角形を含む。このテーパ状内面は、インプラント本体の頭部にあって、この頭部は、インプラント本体の歯冠側末端面に向かってテーパ状に拡幅する外面を持つ。インデックスエレメントは、インプラント本体が外側にネジ山を持たない領域にある。軸方向にインデックスエレメントと間隔を取ったところで初めて、インプラント本体は、顎骨に固定されるための雄ネジを持つ。この雄ネジは、インプラント本体の長手寸法のほぼ中央から、その先端側末端まで延びる。インデックスエレメントが、軸方向に、インプラント本体のテーパ状内面に続くところに設けられているので、インプラント本体のテーパ状内面が延びるのは、その全長の小部分だけである。その結果、構成要素とのテーパ結合部のためには、ごく小さい結合面、または軸方向に見て短い結合面しか利用できない。
【０００４】
そしてさらに独国実用新案第２９９２０２８３Ｕ１号明細書からは、次のようなインプラントシステムが知られている。このインプラントシステムの場合、構成要素または場合によっては別付けのスペーサーエレメントが、テーパ結合部および中央の固定スクリューまたはテンションスクリューを介して、インプラント本体内に回転を防止されて固定されている。この構成要素は、多数のマトリックス（刻み目）を施され、このマトリックスに、インプラント本体のパトリックス（突起）が、インデックスエレメントとしてねじれを防止するために噛み込み、構成要素の位置決めが動くのを防止する。このパトリックスボルトは、インプラント本体の１つの軸方向領域、すなわちインプラント本体が雄ネジを持たない領域に位置する。また当該領域は、インプラント本体の全長と比較するとわずかな軸方向長さしか持たず、しかもほとんどインプラント本体のきわめて短い頭部領域にある。当該パトリックスボルトは、１つの追加的な部品であって、この部品は、径方向に外側に向かって、インプラント本体を通ってテーパ結合部の領域に突き出す。その際、嵌め合いの正確な取り付けと方向付けを得るため、少なからぬコストが必要となる。
【０００５】
最後に、独国特許第１０１２９６８４Ａ１号明細書からは、歯セグメントまたは顎セグメントと呼ばれる構成要素を、基盤支持体またはインプラント本体の上に設けることが知られている。構成要素をインプラント本体と結合するために、ダブルテーパとして形成された追加的な結合エレメントを設けている。この結合エレメントは、その一方が構成要素のテーパ状切り欠きの中に、他方がインプラント本体のテーパ状切り欠きの中に挿入されている。このダブルテーパ結合エレメントは、インプラント本体と対応する形状結合エレメントを備えるが、この場合、ダブルテーパ状の結合部品に対し、構成要素の回転角度位置を、自由に設定できる。インプラント本体に対する構成要素の方向付けを、忠実な角度で行うのは不可能である。
【発明の開示】
【発明が解決しようとする課題】
【０００６】
したがって本発明の課題は、当該種類の歯科用インプラントを、構造から生じるコストおよび／またはサイズを小さく抑えながらさらに発展させて、インプラント本体に対する構成要素の確定された方向付け（下記では「インデックス方式位置決め」という）を、長手軸を基準にして設定できるようにすることである。それにもかかわらず、当該テーパ結合部に存在する作用関係および利点を維持したい。この歯科用インプラントは、さまざまな機能領域において、とくにテーパ結合、インデックス方式位置決め、ネジ結合において、それぞれの要求事項を相応に寸法化、形状化できるものとしたい。そしてまた、さまざまな機能領域相互間の不利な影響、とくに雄ネジに対するそのような影響を回避し、耐負荷性および／または寿命に関する要求事項を、とくに長期間にわたって満足したい。さらには、インプラント本体に対する構成要素の回転位置を、無段階で調整するか、確定されたものとして設定するかのどちらかを、選択しながら行うことができるインプラントシステムを、わずかなコストで得たい。
【課題を解決するための手段】
【０００７】
この課題は、請求項１に記載する特徴によって解決される。
【０００８】
ここに提案する歯科用インプラントは、機能的な構造がすぐれている。インプラント本体と構成要素における第１および第２のインデックスエレメントが、互いに対応しかつ／または互いに作用し合うので、インプラント本体に対する構成要素の回転位置が、確定されたものとして設定可能である。本発明によれば、構成要素の１つまたは複数のインデックスエレメントは、構成要素の先端側領域に、とくにテーパ状外面の領域に配置されている。咬合部に向かって、インプラント本体の歯冠側末端に続くものとして、１つのリングゾーンを設け、このリングゾーンは、好ましくはほぼ歯冠側末端面まで延びる。このリングゾーンにおいては、構成要素のテーパ状外面が、インプラント本体の対応するテーパ状内面に、空隙や遊びなしに密着する。当該リングゾーンは、少なくともその一部を、インプラント本体の次のような領域、すなわちインプラント本体がその外側に好ましくは雄ネジを持たない領域に、設ければ有利である。別な方法としては、インプラント本体が、歯冠側領域にネジ山のない領域をも持つものとし、歯冠側領域では、雄ネジが、谷の深さを減じるようにすれば有利である。したがってこの種の実施形態では、当該リングゾーンが、径方向に雄ネジの内側、とくにはネジ山が谷の深さを減じる領域に位置する。インデックスエレメントは、有利な方法として、軸方向に見て少なくともその一部が、ピンおよび／またはインプラント本体のテーパ面の領域に達するものとし、円周方向にインデックスエレメントの間にテーパ面の面の一部が位置するものとする。このインデックスエレメントは、軸方向にほぼインプラント本体の領域に、しかもインプラント本体の雄ネジが、先端側末端の領域におけるよりも、谷の深さが小さい領域に、位置するものとする。雄ネジのネジ山領域のうち、雄ネジの谷の深さが比較的小さい領域に、インデックスエレメントまたはインデックスエレメントの一部が割り当てられることを、本発明が意図することにより、インプラント本体の外径が小さい場合でも、強度要求に対応するインプラント本体壁厚が設定されることになる。
【０００９】
本発明によるインプラント本体は、好ましくは、歯冠側末端方向に、雄ネジに続き、またとくには雄ネジが谷の深さを減じているところに続く、ネジ山のない領域を持つ。このネジ山のない領域、および／またはインプラント本体の歯冠側末端は、インプラント本体の埋め込み後は、顎骨の中、および／または少なくともほぼ、顎骨の主として上縁領域に位置する。好ましくは、当該ネジ山のない領域から径方向に内側に位置するところに、１つのリングゾーンを設ける。このリングゾーンの中には、インプラント本体と構成要素の、円周方向に閉じている各テーパ面領域が、プリテンションをかけられて互いに密着する。インプラント本体がネジ山のない領域を持たないという、上記と異なる実施形態では、当該リングゾーンが、やはり同様に、インプラント本体のほぼ歯冠側末端まで達する。さらには、インプラント本体が、少なくとも歯冠側領域において、好ましくはほぼ円筒形の外側輪郭に形成されるものとし、この領域は、ネジ山を持たないものとするか、好ましくはネジ山の谷の深さを減じたものとするか、どちらかの形状とする。本発明によるインプラント本体は、好ましくは、歯冠側末端にテーパ状に拡幅する頭部領域を備える。この頭部領域は、埋め込み後は、顎骨上縁の内側に、および／または少なくとも頭部領域の一部は、顎骨上縁の外側に位置することになる。
【００１０】
好ましくは歯冠側末端領域に設けられた、とくにはインプラント本体の歯冠側末端面に設けられた挿入エレメント、および／またはねじ込みエレメントを、上記リングゾーンの軸方向長さに応じて、本発明の意図するインデックスエレメントと間隔を取ったところに配置する。これらの挿入エレメントとインデックスエレメントが、互いに独立して形成され、配置されていて、要求事項に応じた寸法付けが可能であることが、とくに重要な点である。挿入エレメントとインデックスエレメントが、本発明により機能上分離されているため、インプラント本体を顎骨に挿入またはねじ込むときに、挿入エレメントに形状変化または損傷が生じても、インプラント本体に対する構成要素の回転位置のインデックス方式位置決めまたは設定に、不利な影響を生じることはない。本発明による歯科用インプラントは、有利な方法として、３つの互いに独立した、かつ／または分離された機能領域を持つ。すなわち、第１に、インプラント本体の歯冠側末端領域にある挿入エレメント、第２に、構成要素とインプラント本体の各テーパ面が、円周方向に閉じられ、密封状態かつ空隙なしに密着して収められるリングゾーン、第３に、構成要素とインプラント本体の各インデックスエレメントが、好ましくは形状的結合によって互いに噛み合う、先端側領域である。
【００１１】
本発明の場合、上記と異なる実施形態では、挿入エレメントおよび／またはねじ込みエレメントを、インプラント本体の内部および／または中央の取り付け穴の内部に配置することができる。この場合、挿入エレメントおよび／またはねじ込みエレメントを、歯冠側末端で、または歯冠側末端近くで、内部に位置するところに、次のように配置することができる。すなわち取り付け穴の内部に、たとえばインデックスエレメントとテンションスクリューを受ける雌ネジとの間に、配置することができる。また本発明の場合、挿入エレメントおよび／またはねじ込みエレメントを、インプラント本体のインデックスエレメントと組み合わせたり、またはそのようなものに形成したりすることもできる。本発明はさらに、挿入エレメントおよび／またはねじ込みエレメントを、インプラント本体のテーパ面と一体とし、かつ／またはそのテーパ面を、１つのアダプターと組み合わせて用いることもできる。この種のアダプターは、インプラント本体のテーパ面に対応する外側テーパ面を持ち、インプラント本体を埋め込むために、インプラント本体と適切な方法で結合されている。この場合、このアダプターを用い、上記テーパ面を介して、インプラント本体を顎骨に差し込み、かつ／またはねじ込む力またはトルクの少なくとも一部を伝達できるように、上記結合を行う。そしてまた本発明の１つの特別な実施形態では、挿入エレメントおよび／またはねじ込みエレメントが、インプラント本体の１つまたは複数のインデックスエレメントと、そのインプラント本体のテーパ状内面とを組み合わせることによって、形成されている。このインデックスエレメントの組み合わせはとくには１つのアダプターとの間に行われ、このアダプターは、１つの対応するテーパ状の外面と、少なくとも１つの対応するインデックスエレメントとを持つものとする。当該アダプターは、インプラント本体と、取り外し可能な状態で結合されているので、埋め込み後、アダプターをインプラント本体から取り除くことができる。
【００１２】
本発明では、少なくとも１つの第１のインデックスエレメントと、少なくとも２つの第２のインデックスエレメントが設けられる。したがって１つの特別な実施形態では、インプラント本体が、少なくとも１つの第１のインデックスエレメントを備え、このインデックスエレメントは、径方向内側に長手軸を向くフィンとして形成されている。他方で構成要素は、設定された個数の第２のインデックスエレメントを持ち、このインデックスエレメントは、構成要素の先端側領域および／またはテーパ状外面における溝として形成されている。構成要素の第２のインデックスエレメントの個数に対応して、この構成要素は、インプラント本体に対して長手軸を中心とする回転位置または回転角度位置を、対応する個数取ることができる。好ましくは２つの第１のインデックスエレメントを、直径上に配置する。
【００１３】
本発明の場合、もう１つ別の実施形態では、インプラント本体が、溝として形成された第２のインデックスエレメントを、設定された個数持つが、構成要素は、径方向外側を向くフィンとして形成された第１のインデックスエレメントを、少なくとも１本持つ。自明のことであるが、第１のインデックスエレメントの個数は、１よりも大きく、この個数に、長手軸を中心とする第１のインデックスエレメントによる角度分割と、第２のインデックスエレメントによる角度分割とが適合され、構成要素は、インプラント本体に対して、設定されたさまざまに異なる各回転位置に、位置決めできる。
【００１４】
１つの特別な実施形態では、１つまたは複数のインデックスエレメントが、追加的な部品とくにスリーブの構成部分となり、このスリーブは、インプラント本体でとくにめくら穴として形成された取り付け穴の先端側領域に、回転しない状態で固定され、好ましくはプレスばめされている。本発明の場合さらに、構成要素の先端側末端に、別付けとして製造された部品を、回転しない状態で結合することができる。この部品は、少なくとも１つの、好ましくはフィンとして形成された、そして構成要素のテーパ状外面領域に突出するインデックスエレメントを持つ。インプラント本体であれ、かつ／または構成要素であれ、歯科用インプラントの別付けとして製造されたこの種の部品によって、インデックスエレメントの精密な製造および／または形成が可能となる。別な方法として、本発明の場合、インデックスエレメントを、インプラント本体および／または構成要素の一体型構成部分とすることができる。
【００１５】
本発明はさらに、上記や下記に実施形態および特許請求項で説明される種類の歯科用インプラントを持つインプラントシステムに関する。この場合インプラント本体は、さまざまな処方のため、とくにさまざまな外径と長さを持つ。また構成要素は、とくにさまざまに異なる形状の頭部領域を持ち、かつ／またはこの頭部領域は、ピンの長手軸に対してさまざまに異なる角度で配置することができる。しかしインプラント本体の中央の取り付け穴と、構成要素のピンとは、本発明の提案する方法によって形成され、かつ／または互いに適合されている。
【００１６】
本発明の特別な実施形態として、次のようなインプラントシステムを提案する。このインプラントシステムは、構成の異なるインプラント本体にも一致する形状の、かつ第２のインデックスエレメントを持つ構成要素を含む。このインプラントシステムは、前記に説明した第１のインデックスエレメントを持つ少なくとも１つのインプラント本体と、その種のインデックスエレメントを持たない少なくとも１つのインプラント本体とを含む。このインプラントシステムにおけるこれら両種類のインプラント本体は、知られている方法として、処方に応じて異なる長さおよび／または直径のものとすることができる。それに対して、これもまた同様にさまざまに異なる形状とすることができる構成要素には、これら両種類のインプラント本体のために、たとえば頭部領域がピンと同軸にされ、あるいは異なる角度に傾斜されている。こうして医学的処方に従って、構成要素の形状を一致させるために、回転位置をインデックス方式位置決めし、あるいは無段階で設定することができる。回転位置のインデックス方式位置決めにも、無段階調整にも、本発明によるインプラントシステムにおいては、同じ構成要素が用いられる。これにより、製造、貯蔵、調製のコストが、いちじるしく軽減される。それだけでなく、インデックスエレメントのため、とくにインプラント本体における同エレメントのため、別付けの部品および／または上記に説明したスリーブを設ければ、インプラント本体のコストもいちじるしく軽減することができる。なぜならば、上記別付けの部品を別にして、インプラント本体としてまず一致するものを製造し、次に使用目的に応じて、インデックスエレメントを備える別付けの部品が装備されるからである。
【００１７】
そのほか本発明のもう１つ別の特別な実施形態として、構成の異なる構成要素にも一致する形状のインプラント本体を含む、インプラントシステムを提案する。したがってこのインプラントシステムは、前記に説明した第１のインデックスエレメントを持つ少なくとも１つの構成要素と、その種のインデックスエレメントを持たない少なくとも１つの構成要素とを含む。したがって２種類の構成要素が設けられ、これらの構成要素は、知られているように処方に応じて異なる寸法および形状を持つ。この場合、構成の異なるインプラント本体を持つインプラントについて上記に説明したことが、同様に当てはまる。
【００１８】
本発明の発展形態および特別な実施形態を、従属請求項および下記の説明中に記載した。
【発明を実施するための最良の形態】
【００１９】
図面を用いて、本発明による歯科用インプラントの特別な実施形態を、詳細に説明する。以下の説明は、制限条件を付さずに行われる。
【００２０】
この手術２回型歯科用インプラントは、図１のとおり、中央の取り付け穴４と構成要素６とを持つインプラント本体２を含み、構成要素のピン８は、取り付け穴４と噛み合っている。インプラント本体２は、そのほぼ円筒形の外面１０に点線で示した雄ネジ１１を設けられ、先端側末端１２に球形に丸み付けられた末端面１４を持つ。顎骨に埋め込まれた先端側末端１２を出発点として、ネジ山フランクの形状は、咬合部または歯冠側末端１６に向かって、好ましくは連続して変化するものとする。雄ネジ１１は、１つの特別な実施形態では、先端側末端１２に向かってテーパ状に先細となるネジコアを持つ。別な方法として、雄ネジ１１および／またはそのコアを、段つきのものに形成することができる。さらには当該ネジ山において、歯冠側末端１６の側、すなわち咬合部側のネジ山フランクは平面状に形成し、先端側にあって形状が変化するネジ山フランクは、曲線的な凹面に形成すれば有利である。有利な方法として、インプラント本体２は、雄ネジ１１に続いて歯冠側末端１６の方向に、ネジ山がない領域１７を持つものとする。歯冠側末端１６またはそこに設けられた歯冠側末端面に、インプラント本体２は、横溝として形成された挿入および／またはねじ込みエレメント１８を備える。対応する挿入ツールを用いれば、これらのエレメントによって、インプラント本体を顎骨に挿入し、ねじ込むことができる。ここでとくに強調しておきたいのは、本発明の場合、インプラント本体の外側ジオメトリーおよび／または内側ジオメトリーは、それらがインプラント本体の雄ネジであろうと、ネジ山のない領域であろうと、あるいは挿入および／またはねじ込みエレメントであろうと、上記の説明に対応するものが形成できるということである。構成要素６は、インプラント本体２から突出する頭部領域２０を含み、この頭部領域は、長手軸２２を基準として設定された角度に傾斜され、上部構造または歯代替物を固定するのに用いられる。
【００２１】
めくら穴として形成されている中央の取り付け穴４は、ほぼ歯冠側末端１６から始まりながら当該末端に向かって開くテーパ状内面２４と、先端側末端１２側の雌ネジ２６とを持つ。長手軸２２と同軸の貫通口２８を持つ構成要素６を、テンションスクリュー３０が貫通し、このスクリューの内側末端には、ネジつきスリーブ３２が回転を固定されて（たとえばレーザー溶接による）取り付けられている。ネジつきスリーブ３２の外径は、貫通口２８の内径３３よりも、かつ／またはテンションスクリュー３０の貫通口２８を貫通する部分の外径よりも大きい。ネジつきスリーブ３２は、その雄ネジが、インプラント本体２の上記の雌ネジ２６に噛み込む。図から見て取れるように、ネジつきスリーブ３２の歯先は、貫通口２８の内径３３よりもいちじるしく大きい直径にある。換言すれば、貫通口２８の内径３３は、比較的小さく形成されているので、下記に説明するインデックスエレメントのため、ピン８の壁厚として、材料および強度に対する要求事項に対応する厚さのものを利用できる。
【００２２】
頭部領域２０では、貫通口は、スクリュー頭部３４を収めるための拡幅部を持つ。このスクリュー頭部は、テーパ状に先細の接触面３６に密着するのが合目的である。これにより、設定可能なトルクでテンションスクリュー３０を締め付ける際に、インプラント本体２に対する構成要素６の確定されたプリテンションが得られる。この場合、取り付け穴４に噛み込むピン８は、そのテーパ状外面３８が、中央の取り付け穴４のテーパ状内面２４に、設定されたプリテンションで密着する。テーパ状内面２４およびテーパ状外面３８の開口角度は、自己ロック型のテーパ結合部が生じるような角度を設定し、かつ／または形成する。このテーパ結合部は、空隙や遊びのない形状であって、インプラント本体２の中で、構成要素６の耐久性ある回転固定が得られる。
【００２３】
中央の取り付け穴４には、第１のインデックスエレメント４０が設けられ、このインデックスエレメントは、内側に長手軸２２を向くフィンとして形成されている。構成要素６は、第２のインデックスエレメント４２を持ち、このインデックスエレメントは、テーパ状外面３８に設けられた溝として形成されている。図から認められるように、第１のインデックスエレメント４０は、第２のインデックスエレメント４２に形状的結合として噛み込む。インデックスエレメント４０、４２を用いて、インプラント本体２に対する構成要素６の回転位置を、確定されたものとして設定できる。円周方向に見てインデックスエレメント４０、４２の間に、インプラント本体２とピン８のテーパ面２４、３８の面の一部があるが、これらはプリテンションにより相互間密着するのが合目的である。とくに重要なのは、第１および第２のインデックスエレメント４０、４２が、回転を固定するためではなく、有利な方法として単に回転位置を設定するためのみ用いられ、回転固定は、上記テーパ結合部によって行われることである。インデックスエレメント４０、４２は、中央の取り付け穴４の内部で、歯冠側末端面１６に対して設定された間隔を取った位置にある。インデックスエレメント４０、４２が、インプラント本体の雌ネジ２６に対し、かつ／または当該雌ネジに対応するテンションスクリューの雄ネジに対し、またとくにはネジつきスリーブ３２に対し、設定された軸方向間隔４３を取るところに位置することは、とくに重要である。これにより、テンションスクリュー３０によって、インプラント本体２に対する構成要素６の結合を生じるとき、ピン８の先端側末端では、インプラント本体２に対する構成要素６の必要な回転位置が、損傷を生じることなく信頼性をもって得られる。そのほかとくに留意されたいのは、第２のインデックスエレメント４２が、構成要素６の先端側領域４４に配置されることと、先端側領域４４と歯冠側末端１６の間で、円周方向に閉じたリングゾーン４６が、テーパ状外面３８をテーパ状内面２４に、遊びや空隙なしに、プリテンションのもとに密着させることである。ピン８を取り付け穴４に入れる挿入エレメント１８の領域でも、径方向の溝として形成された挿入エレメント１８を除けば、テーパ状外面３８またはその面の一部が、テーパ状の内面２４に、プリテンションのもとに密着する。図から認められるように、インプラント本体２は、歯冠側末端領域および／または外側で、とくにはリングゾーン４６に割り当てられたところで、ほぼ円筒形の外側輪郭を持つ。好ましくはその場所に、ネジ山のない領域１７が位置するものとする。上記の各実施形態では、雄ネジを、新たな方法として、少なくともほぼ歯冠側末端１６まで、好ましくはネジ山の谷の深さを減じて、設けることもできる。好ましくは、本発明によるインプラント本体２は、歯冠側末端１６に向かってテーパ状に拡幅された頭部領域を持たないのとする。
【００２４】
ここで重要なのは、先端領域４４は、そのインデックスエレメント４０、４２が、少なくともその一部をそして／または近似的に、雄ネジ１１のうちその谷の深さが減じられた部分４７に割り当てられていることである。にもかかわらず、雄ネジのこの軸方向の領域４７では、インプラント本体２は、強度および安定性に対する要求事項の点で十分大きい壁厚４９を持つ。このことは、とくに外径が比較的小さいインプラント本体の場合に重要である。雄ネジ１１の先端方向につながる領域の谷の深さと比較すると、領域４７では、谷の深さをいちじるしく小さく設定されていることに留意されたい。領域４７から、雄ネジ１１の先端方向に続くネジ山領域、すなわち谷の深さが大きいネジ山領域につながる移行部は、図示の場合、雄ネジ１１のネジコアがテーパ状に形成されているため、連続的な移行部であるが、本発明の場合、その代わりに、このほかにも不連続的な、そして／または段つき部のある、移行部を設けることができる。
【００２５】
上記の少なくとも１つの第１のインデックスエレメント４０は、スリーブ４８の構成部分であって、このスリーブは、取り付け穴４の中間領域５０では回転を固定され、とくには取り外しできない状態で、かつ／または溶接または接着のような固定結合によって固定されている。中間領域５０は、軸方向に見て、取り付け穴４のテーパ状内面２４と雌ネジ２６との間に位置する。単数または複数の第１のインデックスエレメント４０は、咬合部方向に、テーパ状内面２４の領域に突出する。
【００２６】
図２および図３は、構成要素６を示す。この構成要素のピン８は、テーパ状外面３８の領域で、凹面の溝として形成されたある個数のインデックスエレメント４２を、円周上均一に配分された状態で含む。この構成要素６は、円周方向に見てインデックスエレメントおよび／または溝４２の間に、テーパ状外面３８のテーパ状の面の一部を持つ。インデックスエレメント４２は、本発明の場合、半径方向内側、および／またはテーパ状外面３８によって決定される包絡線の内側に位置する。第２のインデックスエレメント４２または溝は、テーパ状外面３８の領域で、互いにほぼ平行な長手周縁５３を持てば有利である。第２のインデックスエレメント４２は、軸方向に少なくともその一部が、ピン８のテーパ状外面３８の中に延びる。またテーパ状外面３８は、そのテーパ状の面の一部５１が、構成要素の先端側末端５６まで延びる。本発明では、インデックスエレメント４２とテーパ状の外面３８とが、軸方向において少なくとも一部が相互に作用するので、この一体化によって次のような結果を得るのが好ましい。すなわち、ピン８の軸方向全長が大きいので、テーパ状外面３８および／またはその面の一部５１と、インプラント本体２で対応する形状のテーパ状内面との重なり合いが得られ、その際ピン８の全長をさらに拡大する必要はない。すなわち、軸方向のテーパ部長さや、接続されたインデックスエレメントの軸方向長さを加算するとすれば必要となるような全長は、持つ必要がない。本発明によって、インデックスエレメント４２をテーパ状外面３８と、少なくともその一部を、軸方向および／または半径方向に一体化することにより、ピン８の全長を比較的短いものとして維持しかつ／または達成しながら、機能上信頼性あるテーパ結合を得るのが好ましい。
【００２７】
溝４２は、長手軸２２に対して、設定された角度で傾斜配置され、この角度は、テーパ状外面３８の開孔角度のほぼ半分に相当する。図から認められるように、第２のインデックスエレメントまたは溝４２は、テーパ状外面３８全長の一部分の上だけに延びる。この場合、軸方向の長さ５２は、たとえば２ｍｍの規模とする。溝４２の深さ５４は、好ましくは０．１ｍｍ〜０．６ｍｍの規模および／または範囲、とくには０．２ｍｍ〜０．４ｍｍの規模および／または範囲とする。溝４２は、構成要素６の先端側末端５６で開いている形状なので、インプラント本体２で割り当てられた単数または複数のインデックスエレメントは、構成要素６を挿入する際、構成要素の溝４２に、問題なく導き入れることができる。
【００２８】
図４および図５は、スリーブ４８として形成された、インプラント本体の別付け部品を示す。スリーブ４８は、直径上に配置され、かつフィンとして形成された２つのインデックスエレメント４０を含む。径方向内側を向くフィン４０は、前記の構成要素の溝に対応する凸面表面を持つ。図から認められるように、フィン４０は、設定された長さを持ち、咬合部の方を向くスリーブ４８の上縁５８を越えて突出する。インプラントの内面６０のうち、周縁５８から先端方向を向く部分の少なくとも一部、および構成要素のテーパ状外面の少なくとも一部は、同じテーパ状に形成されている。フィン４２は、その自由な末端で厚さ６２であるが、この厚さは、好ましくは０．１ｍｍ〜０．６ｍｍの規模および／または範囲、とくには０．２ｍｍ〜０．４ｍｍの規模および／または範囲とする。この特別な実施形態では、スリーブ４８の内径６４を、好ましくは１．５ｍｍ〜２．３ｍｍの規模および／または範囲、さらに好ましくは１．６ｍｍ〜１．９ｍｍの規模および／または範囲、とくにはほぼ１．７５ｍｍとする。他方内面６０の傾斜角度６６は、少なくともほぼ５．７°とする。
【００２９】
図６から図９に記載する歯科用インプラントの実施形態は、基本的には上記の歯科用インプラントと同様であって、インプラント本体２と、ピン８を含む構成要素６とを持つ。この場合、図８は、図６の切断線Ａで長手軸を切った横断面図である。インデックスエレメント４０、４２は、インプラント本体およびピン８の互いに噛み合う歯車リムとして形成されている。図から認められるように、インプラント本体２のインデックスエレメント４０は、フィンまたは径方向内側を向く歯４０を含むが、ピン８はこれに対応して、溝として形成されたインデックスエレメント４２を含む。溝４２は、それぞれ互いに向かい合う側壁６８、６９を持ち、これら側壁は、互いに設定された径方向外側に開く角度７０で、配置されている。角度７０は、少なくとも３０°前後の範囲にあれば有利である。第１のインデックスエレメント４０は、歯部として、インプラント本体２の一体型構成部分をなす。インプラント本体２は、この実施形態の場合、少なくともほぼ歯冠側末端１６に達する雄ネジ１１を持ち、ネジ山のない領域はこの場合存在しない。しかし別な方法として、図１で説明したように、雄ネジを歯冠側末端より前で終わらせ、インプラント本体２は、当該ネジ山のない領域を持つものとすることもできる。この事情は、そのほかの実施形態にも当てはまる。そのほか、本発明による歯科用インプラントのさまざまな実施形態を、別な外側ジオメトリー、とくに雄ネジが異なる外側ジオメトリーのものとして、形成することができる。この場合、図示のようにネジコアをほぼテーパ状とする代わりに、ネジ山および／またはネジコアを、不連続的に、かつ／または少なくとも１つの段つき部を持つものとして、形成することができる。
【００３０】
図１０は、歯車リムまたはインデックスエレメント４０、４２のもう１つの実施形態を示す。この場合、側壁６８、６９は、互いにほぼ平行に配置されている。本発明の場合、インデックスエレメントまたは歯車リムは、その歯および／または溝とフィンとが、さらにこれとは別の分割を行われたもの、または別な個数のものも用いられることに、留意されたい。
【００３１】
図１３は、図１１を切断線Ｃにそって切った断面図であるが、図１１から図１４の歯科用インプラントの実施形態の場合、インデックスエレメント４０、４２は、ここでも互いに噛み合う歯部として形成されている。歯またはフィンと溝とは、この場合設定された半径の円形または丸みづけされた形状である。図１４から認められるように、この実施形態の場合も、ピン８の溝４２が、径方向に見て、テーパ状外面３８によって設定された包絡線の内側に配置されている。
【００３２】
最後に図１５から図１８の実施形態は、六角形のインデックスエレメント４０、４２を持つが、このことは、図１５を切断線Ｄで切った断面図である図１７からとくに認められる。図１８に記載するように、ピン８のインデックスエレメント４２は、テーパ状外面３８によって設定されたピン８の包絡線の内部に位置する。インデックスエレメント４２の六角柱の各面の間には、図１８に記載するように、テーパ状の面の一部５１が存在する。
【図面の簡単な説明】
【００３３】
【図１】歯科用インプラントを軸方向に切った断面図である。
【図２】構成要素の透視図である。
【図３】構成要素の一部断面図である。
【図４】２つのインデックスエレメントを持つ、別付けとして製造された部品であって、スリーブとして形成されているものである。
【図５】２つのインデックスエレメントを持つ、別付けとして製造された部品であって、スリーブとして形成されているものである。
【図６】歯科用インプラントのもう１つの実施形態であって、歯車リムとして形成されたインデックスエレメントを持つものの断面図である。
【図７】歯科用インプラントのもう１つの実施形態であって、歯車リムとして形成されたインデックスエレメントを持つものの断面図である。
【図８】歯科用インプラントのもう１つの実施形態であって、歯車リムとして形成されたインデックスエレメントを持つものの断面図である。
【図９】歯科用インプラントのもう１つの実施形態であって、歯車リムとして形成されたインデックスエレメントを持つものの断面図と透視図である。
【図１０】図８に類似する断面図であるが、歯部のジオメトリーが変更されている。
【図１１】歯科用インプラントのもう１つの実施形態であって、歯部が丸み付けられているインデックスエレメントを持つものの断面図である。
【図１２】歯科用インプラントのもう１つの実施形態であって、歯部が丸み付けられているインデックスエレメントを持つものの断面図である。
【図１３】歯科用インプラントのもう１つの実施形態であって、歯部が丸み付けられているインデックスエレメントを持つものの断面図である。
【図１４】歯科用インプラントのもう１つの実施形態であって、歯部が丸み付けられているインデックスエレメントを持つものの断面図と透視図である。
【図１５】歯科用インプラントのさらにもう１つの実施形態であって、六角形のインデックスエレメントを持つものの断面図である。
【図１６】歯科用インプラントのさらにもう１つの実施形態であって、六角形のインデックスエレメントを持つものの断面図である。
【図１７】歯科用インプラントのさらにもう１つの実施形態であって、六角形のインデックスエレメントを持つものの断面図である。
【図１８】歯科用インプラントのさらにもう１つの実施形態であって、六角形のインデックスエレメントを持つものの断面図と透視図である。
【図１】
2008528219.tif 000003
【図２】
2008528219.tif 000004
【図３】
2008528219.tif 000005
【図４】
2008528219.tif 000006
【図５】
2008528219.tif 000007
【図６】
2008528219.tif 000008
【図７】
2008528219.tif 000009
【図８】
2008528219.tif 000010
【図９】
2008528219.tif 000011
【図１０】
2008528219.tif 000012
【図１１】
2008528219.tif 000013
【図１２】
2008528219.tif 000014
【図１３】
2008528219.tif 000015
【図１４】
2008528219.tif 000016
【図１５】
2008528219.tif 000017
【図１６】
2008528219.tif 000018
【図１７】
2008528219.tif 000019
【図１８】
2008528219.tif 000020
【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
中央の取り付け穴（４）を持つインプラント本体（２）と、取り付け穴（４）に噛み込むピン（８）を持つ構成要素（６）と、テンションスクリュー（３０）とを含む歯科用インプラントであって、該テンションスクリューは、構成要素（６）の貫通口（２８）を貫通して、取り付け穴（４）に設けられた雌ネジ（２６）にねじ込まれており、インプラント本体（２）は、顎骨に挿入を行うツールのための挿入エレメント（１８）を持ち、インプラント本体（２）のテーパ状内面（２４）と、該テーパ状内面にプリテンションのもとに密着するピン（８）のテーパ状外面（３８）とによって、インプラント本体（２）に対して構成要素（６）を回転固定するためのテーパ結合が設定され、インプラント本体（２）に対する構成要素（６）の回転位置を設定するため、少なくとも一部がピン（８）のテーパ状外面（３８）の領域に延びる第１および第２のインデックスエレメント（４０、４２）が配置され、少なくとも１つの第１のインデックスエレメント（４０）が、回転を固定されてインプラント本体（２）または構成要素（６）に取り付けられており、さらに少なくとも２つのインデックスエレメント（４２）が、構成要素（６）またはインプラント本体（２）に、回転を固定されて取り付けられ、
インプラント本体（２）の挿入エレメント（１８）とインデックスエレメント（４０）とが、互いに独立して配置および形成されていることと、構成要素（６）のインデックスエレメント（４２）が、構成要素の先端側領域（４４）に配置されるが、円周方向に見て各インデックスエレメント（４２）の間で、ピン（８）のテーパ状の面の一部（５１）が、インプラント本体（２）のテーパ状内面（２４）に密着することを特徴とする、歯科用インプラント。
【請求項２】
軸方向に、インプラント本体（２）の歯冠側末端（１６）と、インデックスエレメント（４０、４２）を含む前記先端側領域（４４）の間に、リングゾーン（４６）を設け、該リングゾーンにおいて、構成要素（６）のピン（８）のテーパ状外面（３８）が、全円周にわたって、インプラント本体（２）のテーパ状内面（２４）に密着することを特徴とする、請求項１に記載の歯科用インプラント。
【請求項３】
前記先端側領域（４４）は、好ましくはリングゾーン（４６）の軸方向長さに応じて、インプラント本体（２）および／またはインプラント本体に設けられた挿入エレメント（１８）の歯冠側末端（１６）に対して、設定された間隔を取って設けられていることを特徴とする、請求項１または２に記載の歯科用インプラント。
【請求項４】
インデックスエレメント（４０、４２）が、インプラント本体（２）の雌ネジ（２６）に対し、および／またはテンションスクリュー（３０）の雄ネジ、とくにネジつきスリーブ（３２）に対して、設定された軸方向間隔（４３）をもって配置されていることを特徴とする、請求項１から３のいずれか一項に記載の歯科用インプラント。
【請求項５】
少なくとも１つの第１のインデックスエレメント（４０）が、テーパ状の面（２４または３８）から突出するフィンとして形成されていること、少なくとも２つの第２のインデックスエレメント（４２）が、テーパ状の面（３８または２４）における溝として形成されていること、および／または、フィン（４０）と溝（４２）とが、長手軸（２２）に対して傾斜して配置されているが、傾斜角度が、テーパ状の内面（２４）および／またはテーパ状の外面（３８）の傾斜角度とほぼ等しいことを特徴とする、請求項１から４のいずれか一項に記載の歯科用インプラント。
【請求項６】
インデックスエレメント（４０、４２）が別付けの部品（４８）の構成部分であり、該構成部品は、回転を固定されて、とくには取り外し不可能な状態でかつ／または固定結合を用いて、インプラント本体（２）および／または構成要素（６）と結合されており、当該部品（４８）が、好ましくはスリーブとして形成され、該スリーブは、とくにはインプラント本体（２）の中間領域（５０）に回転を固定されて取り付けられ、中間領域には、先端方向に、好ましくは取り付け穴（４）の雌ネジ（２６）がつながることを特徴とする、請求項１から５のいずれか一項に記載の歯科用インプラント。
【請求項７】
顎骨に固定するため、インプラント本体（２）は、ネジ山の谷の深さがさまざまに異なる領域を含む雄ネジ（１１）を持ち、領域（４７）は、インプラント本体（２）の先端方向への領域および／または先端側末端（１２）に割り当てられた領域よりも、ネジ山の谷の深さが減じられていることと、径方向内側に位置するインデックスエレメント（４０、４２）は、少なくとも一部が、雄ネジ（１１）の谷の深さが減じられている領域（４７）に割り当てられていることとを特徴とする、請求項１から６のいずれか一項に記載の歯科用インプラント。
【請求項８】
インプラント本体（２）の歯冠側末端（１６）の方向に雄ネジ（１１）に続き、ネジ山のない領域（１７）が設けられていることと、径方向内側で、ネジ山のない領域（１７）の少なくとも一部に、リングゾーン（４６）が割り当てられ、該リングゾーンの内側には、テーパ状の内面（２４）が円周方向を閉じられて形成され、ピン（８）のテーパ状の外面（３８）が面で密着すること、および／または、リングゾーン（４６）は、少なくとも一部が、径方向外側ではネジ本体（２）の雄ネジ（１１）が谷の深さを減じている領域の径方向内側に配置されることを特徴とする、請求項１から７のいずれか一項に記載の歯科用インプラント。
【請求項９】
テンションスクリュー（３０）の先端側末端には、ネジつきスリーブ（３２）が回転を固定されて取り付けられ、該ネジつきスリーブは、インプラント本体（２）の中央の取り付け穴（４）の雌ネジに噛み込むことと、該ネジつきスリーブ（３２）の外径は、テンションスクリュー（３０）の内径（３３）よりも大きいことを特長とする、請求項１から８のいずれか一項に記載の歯科用インプラント。
【請求項１０】
ピン（８）の好ましくは溝として形成されたインデックスエレメント（４２）は、ピン（８）のテーパ状外面（３８）によって設定されている包絡線の径方向内側に配置されていることを特徴とする、請求項１から９のいずれか一項に記載の歯科用インプラント。
【請求項１１】
請求項１から１０のいずれか一項に記載の歯科用インプラントを２個以上備えるインプラントシステムであって、インプラント本体（２）および／または構成要素（６）の外側ジオメトリーを、互いに異なる形状とすることができるが、そのほかの点では、中央の取り付け穴（４）とピン（８）の形状が一致しているため、インプラント本体（２）と構成要素（６）とを、任意に相互に組み合わせ可能でありかつ結合可能であることを特徴とする、インプラントシステム。
【請求項１２】
少なくとも１つの第１のインプラント本体（２）を備える請求項１から１０のいずれか一項に記載の歯科用インプラントを含むインプラントシステムであって、少なくともさらに１つのインプラント本体が設けられ、該さらなるインプラント本体は、インデックスエレメントを持つが、そのほかの点では、形状が第１のインプラント本体（２）と一致するかあるいは異なっており、少なくとも１つの構成要素（６）が、選択された第１のインデックスエレメント（４０）を持つ第１のインプラント本体（２）あるいはさらなるインプラント本体に結合可能であることを特徴とする、インプラントシステム。
【請求項１３】
インデックスエレメント（４０）を持つある個数の第１の種類のインプラント本体が設けられ、該インプラント本体は、形状が異なり、とくには長さおよび／または直径が異なることと、さらにある個数の第２の種類のインプラント本体が設けられ、第２の種類のインプラント本体は、インデックスエレメントを持たず、形状が異なり、とくに長さおよび／または直径が異なることを特徴とする、請求項１２に記載のインプラントシステム。
【請求項１４】
少なくとも１つの第１の構成要素（６）を備える請求項１から１０のいずれか一項に記載の歯科用インプラントを含むインプラントシステムであって、少なくともさらに１つの構成要素が設けられ、該さらなる構成要素は、インデックスエレメントを持たないが、そのほかの点では、形状が第１の構成要素（６）と一致するかあるいは異なっており、少なくとも１つのインプラント本体（２）は、選択された第２のインデックスエレメント（４２）を持つ第１の構成要素（６）あるいはさらなる構成要素に結合可能であることを特徴とする、インプラントシステム。
【請求項１５】
インデックスエレメント（４２）を持つ第１の種類の構成要素（６）がある個数設けられていて、該構成要素は、形状が異なり、とくに長さおよび／または長手軸を基準にした頭部領域（２０）の傾斜が異なることと、さらに第２の種類の構成要素がある個数設けられ、該さらなる構成要素は、インデックスエレメント（４２）を持たず、そして形状がさまざまに異なり、とくには長さが、および／または長手軸（２２）を基準にした頭部領域（２０）の傾斜が、異なることとを特徴とする、請求項１４に記載の歯科用インプラント。
【手続補正２】
【補正対象書類名】明細書
【補正対象項目名】全文
【補正方法】変更
【補正の内容】
【発明の詳細な説明】
【技術分野】
【０００１】
本発明は、請求項１のプリアンブルに記載された特徴の歯科用インプラントに関する。
【背景技術】
【０００２】
米国特許第６６６３３８８Ｂ１号明細書から、次のような歯科用インプラントが知られている。この歯科用インプラントは、中央の取り付け穴を持つインプラント本体と、当該取り付け穴に噛み込むピンを持つ構成要素と、テンションスクリューとを備える。このテンションスクリューは、構成要素の貫通口を貫通し、取り付け穴の中に設けられた雌ネジにねじ込まれる。この取り付け穴はさらに、互いに一直線上に並ぶ２つのテーパ断片を持つテーパ状内面を持ち、これらテーパ断片の間に、八角形穴として形成された第１のインデックスエレメントが配置されている。この構成要素は、取り付け穴に噛み込むピンを持ち、このピンの外面は、互いに一直線上に並ぶ２つのテーパ断片を持つ。軸方向に、これらテーパ断片の間に、六角形突起として形成された第２のインデックスエレメントが配置されている。このインデックスエレメントは、当該ピンのほぼ中央にあって、ピンの先端側領域には配置されていない。インプラント本体の八角形穴は、インプラント本体に対する構成要素の回転位置を設定するためのインデックスエレメントとしてだけでなく、インプラント本体を顎骨に挿入するツールのための挿入エレメントとしても形成されている。したがってインプラント本体を顎に挿入またはねじ込む際に、インプラント本体のインデックスエレメントを損傷して、その構成要素をもはや希望の回転位置に挿入できないという、不利な結果を生む危険がある。
【０００３】
さらに米国特許第５７８２９１８号明細書からは、テーパ状の取り付け穴を持つインプラント本体と、構成要素とを備える、歯科用インプラントが知られている。この歯科用インプラントは、インプラント本体の第１のインデックスエレメントが、インプラント本体のテーパ状の内面から突出するフィンとして、また構成要素の第２のインデックスエレメントが、溝として形成されている。このインプラント本体は、ツールのための追加的な挿入エレメントを持たず、当該インデックスエレメントは、同時にツールのための挿入エレメントでもある。構成要素とインプラント本体との結合は、テンションスクリューの先端を用いて、構成要素の２部分からなるピンを開いて、ピンの径方向の突起を、インプラント本体の対応するリング状溝に押し込むことによって行う。インプラント本体の雌ネジにねじ込まれているテンションスクリューというものは、存在しない。
【０００４】
さらに欧州特許第０７０７８３５Ｂ１号明細書からは、その種の歯科用インプラントが知られており、この歯科用インプラントは、手術２回型に構成され、顎骨に固定可能なインプラント本体と、テンションスクリューを用いてこのインプラントに結合可能な構成要素とを持つ。このインプラント本体は中央に取り付け穴を持ち、この取り付け穴は、歯冠側末端に向かって開くテーパ状内面と、さらに内側末端領域に、テンションスクリューを固定するための雌ネジとを備える。構成要素は、テンションスクリューが通る貫通口を備え、構成要素の口腔を向く頭部領域で、この貫通口は、上記テンションスクリューの頭部を収容するための拡幅部を備える。さらにこの構成要素は１本のピンを備え、このピンは、少なくともその一部が上記取り付け穴に噛み込み、またピンは、テーパ状の外面を持ち、この外面は、取り付け穴のテーパ状の内面に対応する。上記各テーパ面は、有利な方法として次のような形状とする。すなわち、インプラント本体と、テンションスクリューを用いて結合された構成要素との間に、自己ロック式のテーパ結合部が生じるような形状とする。この形状的および力学的結合によるテーパ結合部により、インプラント本体に対して構成要素がねじれたりしないよう、高負荷に長期間耐える固定措置が得られる。この場合、テンションスクリューを用いて、機能面で安定したプリテンションが設定され、あるいは得られる。また空隙や遊びのないテーパ結合部によって、バクテリアそのほかの病原体が歯科用インプラント内部に侵入するのが、確実に防止される。顎骨において相応に準備された開口部または穴に、インプラント本体を挿入するため、インプラントは、歯冠領域または歯冠側末端面に、挿入ツールのための挿入エレメントを備える。たとえば、スクリュードライバーを受ける、咬合部に向かって開いたスリットである。この手術２回型の歯科用インプラントの場合、構成要素は、インプラント本体に対して、長手軸を中心に無段階で位置決めできる。その結果として、とくに上部構造を作成するに必要な複製採得の際に、かつ／または歯科用ラボラトリーにおいて、特別な措置が必要になる。インプラント本体に対する構成要素のつながり具合または方向付けを、忠実な角度で得るための措置である。
【０００５】
さらに独国実用新案第９４１７１８２Ｕ１号明細書からは、歯代替物のために用いられるインプラントシステムが知られている。そのインプラント本体は、テーパ状内面につながる、多角形受け具として形成されたインデックスエレメントを備える。同様に構成要素も、軸方向にテーパ状外面につながる多角形を含む。このテーパ状内面は、インプラント本体の頭部にあって、この頭部は、インプラント本体の歯冠側末端面に向かってテーパ状に拡幅する外面を持つ。インデックスエレメントは、インプラント本体が外側にネジ山を持たない領域にある。軸方向にインデックスエレメントと間隔を取ったところで初めて、インプラント本体は、顎骨に固定されるための雄ネジを持つ。この雄ネジは、インプラント本体の長手寸法のほぼ中央から、その先端側末端まで延びる。インデックスエレメントが、軸方向に、インプラント本体のテーパ状内面に続くところに設けられているので、インプラント本体のテーパ状内面が延びるのは、その全長の小部分だけである。その結果、構成要素とのテーパ結合部のためには、ごく小さい結合面、または軸方向に見て短い結合面しか利用できない。
【０００６】
そしてさらに独国実用新案第２９９２０２８３Ｕ１号明細書からは、次のようなインプラントシステムが知られている。このインプラントシステムの場合、構成要素または場合によっては別付けのスペーサーエレメントが、テーパ結合部および中央の固定スクリューまたはテンションスクリューを介して、インプラント本体内に回転を防止されて固定されている。この構成要素は、多数のマトリックス（刻み目）を施され、このマトリックスに、インプラント本体のパトリックス（突起）が、インデックスエレメントとしてねじれを防止するために噛み込み、構成要素の位置決めが動くのを防止する。このパトリックスボルトは、インプラント本体の１つの軸方向領域、すなわちインプラント本体が雄ネジを持たない領域に位置する。また当該領域は、インプラント本体の全長と比較するとわずかな軸方向長さしか持たず、しかもほとんどインプラント本体のきわめて短い頭部領域にある。当該パトリックスボルトは、１つの追加的な部品であって、この部品は、径方向に外側に向かって、インプラント本体を通ってテーパ結合部の領域に突き出す。その際、嵌め合いの正確な取り付けと方向付けを得るため、少なからぬコストが必要となる。
【０００７】
最後に、独国特許第１０１２９６８４Ａ１号明細書からは、歯セグメントまたは顎セグメントと呼ばれる構成要素を、基盤支持体またはインプラント本体の上に設けることが知られている。構成要素をインプラント本体と結合するために、ダブルテーパとして形成された追加的な結合エレメントを設けている。この結合エレメントは、その一方が構成要素のテーパ状切り欠きの中に、他方がインプラント本体のテーパ状切り欠きの中に挿入されている。このダブルテーパ結合エレメントは、インプラント本体と対応する形状結合エレメントを備えるが、この場合、ダブルテーパ状の結合部品に対し、構成要素の回転角度位置を、自由に設定できる。インプラント本体に対する構成要素の方向付けを、忠実な角度で行うのは不可能である。
【発明の開示】
【発明が解決しようとする課題】
【０００８】
したがって本発明の課題は、当該種類の歯科用インプラントを、構造から生じるコストおよび／またはサイズを小さく抑えながらさらに発展させて、インプラント本体に対する構成要素の確定された方向付け（下記では「インデックス方式位置決め」という）を、長手軸を基準にして設定できるようにすることである。それにもかかわらず、当該テーパ結合部に存在する作用関係および利点を維持したい。この歯科用インプラントは、さまざまな機能領域において、とくにテーパ結合、インデックス方式位置決め、ネジ結合において、それぞれの要求事項を相応に寸法化、形状化できるものとしたい。そしてまた、さまざまな機能領域相互間の不利な影響、とくに雄ネジに対するそのような影響を回避し、耐負荷性および／または寿命に関する要求事項を、とくに長期間にわたって満足したい。さらには、インプラント本体に対する構成要素の回転位置を、無段階で調整するか、確定されたものとして設定するかのどちらかを、選択しながら行うことができるインプラントシステムを、わずかなコストで得たい。
【課題を解決するための手段】
【０００９】
この課題は、請求項１に記載する特徴によって解決される。
【００１０】
ここに提案する歯科用インプラントは、機能的な構造がすぐれている。インプラント本体と構成要素における第１および第２のインデックスエレメントが、互いに対応しかつ／または互いに作用し合うので、インプラント本体に対する構成要素の回転位置が、確定されたものとして設定可能である。本発明によれば、構成要素の１つまたは複数のインデックスエレメントは、構成要素の先端側領域に、とくにテーパ状外面の領域に配置されている。咬合部に向かって、インプラント本体の歯冠側末端に続くものとして、１つのリングゾーンを設け、このリングゾーンは、好ましくはほぼ歯冠側末端面まで延びる。このリングゾーンにおいては、構成要素のテーパ状外面が、インプラント本体の対応するテーパ状内面に、空隙や遊びなしに密着する。当該リングゾーンは、少なくともその一部を、インプラント本体の次のような領域、すなわちインプラント本体がその外側に好ましくは雄ネジを持たない領域に、設ければ有利である。別な方法としては、インプラント本体が、歯冠側領域にネジ山のない領域をも持つものとし、歯冠側領域では、雄ネジが、谷の深さを減じるようにすれば有利である。したがってこの種の実施形態では、当該リングゾーンが、径方向に雄ネジの内側、とくにはネジ山が谷の深さを減じる領域に位置する。インデックスエレメントは、有利な方法として、軸方向に見て少なくともその一部が、ピンおよび／またはインプラント本体のテーパ面の領域に達するものとし、円周方向にインデックスエレメントの間にテーパ面の面の一部が位置するものとする。このインデックスエレメントは、軸方向にほぼインプラント本体の領域に、しかもインプラント本体の雄ネジが、先端側末端の領域におけるよりも、谷の深さが小さい領域に、位置するものとする。雄ネジのネジ山領域のうち、雄ネジの谷の深さが比較的小さい領域に、インデックスエレメントまたはインデックスエレメントの一部が割り当てられることを、本発明が意図することにより、インプラント本体の外径が小さい場合でも、強度要求に対応するインプラント本体壁厚が設定されることになる。
【００１１】
本発明によるインプラント本体は、好ましくは、歯冠側末端方向に、雄ネジに続き、またとくには雄ネジが谷の深さを減じているところに続く、ネジ山のない領域を持つ。このネジ山のない領域、および／またはインプラント本体の歯冠側末端は、インプラント本体の埋め込み後は、顎骨の中、および／または少なくともほぼ、顎骨の主として上縁領域に位置する。好ましくは、当該ネジ山のない領域から径方向に内側に位置するところに、１つのリングゾーンを設ける。このリングゾーンの中には、インプラント本体と構成要素の、円周方向に閉じている各テーパ面領域が、プリテンションをかけられて互いに密着する。インプラント本体がネジ山のない領域を持たないという、上記と異なる実施形態では、当該リングゾーンが、やはり同様に、インプラント本体のほぼ歯冠側末端まで達する。さらには、インプラント本体が、少なくとも歯冠側領域において、好ましくはほぼ円筒形の外側輪郭に形成されるものとし、この領域は、ネジ山を持たないものとするか、好ましくはネジ山の谷の深さを減じたものとするか、どちらかの形状とする。本発明によるインプラント本体は、好ましくは、歯冠側末端にテーパ状に拡幅する頭部領域を備える。この頭部領域は、埋め込み後は、顎骨上縁の内側に、および／または少なくとも頭部領域の一部は、顎骨上縁の外側に位置することになる。
【００１２】
好ましくは歯冠側末端領域に設けられた、とくにはインプラント本体の歯冠側末端面に設けられた挿入エレメント、および／またはねじ込みエレメントを、上記リングゾーンの軸方向長さに応じて、本発明の意図するインデックスエレメントと間隔を取ったところに配置する。これらの挿入エレメントとインデックスエレメントが、互いに独立して形成され、配置されていて、要求事項に応じた寸法付けが可能であることが、とくに重要な点である。挿入エレメントとインデックスエレメントが、本発明により機能上分離されているため、インプラント本体を顎骨に挿入またはねじ込むときに、挿入エレメントに形状変化または損傷が生じても、インプラント本体に対する構成要素の回転位置のインデックス方式位置決めまたは設定に、不利な影響を生じることはない。本発明による歯科用インプラントは、有利な方法として、３つの互いに独立した、かつ／または分離された機能領域を持つ。すなわち、第１に、インプラント本体の歯冠側末端領域にある挿入エレメント、第２に、構成要素とインプラント本体の各テーパ面が、円周方向に閉じられ、密封状態かつ空隙なしに密着して収められるリングゾーン、第３に、構成要素とインプラント本体の各インデックスエレメントが、好ましくは形状的結合によって互いに噛み合う、先端側領域である。
【００１３】
本発明の場合、上記と異なる実施形態では、挿入エレメントおよび／またはねじ込みエレメントを、インプラント本体の内部および／または中央の取り付け穴の内部に配置することができる。この場合、挿入エレメントおよび／またはねじ込みエレメントを、歯冠側末端で、または歯冠側末端近くで、内部に位置するところに、次のように配置することができる。すなわち取り付け穴の内部に、たとえばインデックスエレメントとテンションスクリューを受ける雌ネジとの間に、配置することができる。また本発明の場合、挿入エレメントおよび／またはねじ込みエレメントを、インプラント本体のインデックスエレメントと組み合わせたり、またはそのようなものに形成したりすることもできる。本発明はさらに、挿入エレメントおよび／またはねじ込みエレメントを、インプラント本体のテーパ面と一体とし、かつ／またはそのテーパ面を、１つのアダプターと組み合わせて用いることもできる。この種のアダプターは、インプラント本体のテーパ面に対応する外側テーパ面を持ち、インプラント本体を埋め込むために、インプラント本体と適切な方法で結合されている。この場合、このアダプターを用い、上記テーパ面を介して、インプラント本体を顎骨に差し込み、かつ／またはねじ込む力またはトルクの少なくとも一部を伝達できるように、上記結合を行う。そしてまた本発明の１つの特別な実施形態では、挿入エレメントおよび／またはねじ込みエレメントが、インプラント本体の１つまたは複数のインデックスエレメントと、そのインプラント本体のテーパ状内面とを組み合わせることによって、形成されている。このインデックスエレメントの組み合わせはとくには１つのアダプターとの間に行われ、このアダプターは、１つの対応するテーパ状の外面と、少なくとも１つの対応するインデックスエレメントとを持つものとする。当該アダプターは、インプラント本体と、取り外し可能な状態で結合されているので、埋め込み後、アダプターをインプラント本体から取り除くことができる。
【００１４】
本発明では、少なくとも１つの第１のインデックスエレメントと、少なくとも２つの第２のインデックスエレメントが設けられる。したがって１つの特別な実施形態では、インプラント本体が、少なくとも１つの第１のインデックスエレメントを備え、このインデックスエレメントは、径方向内側に長手軸を向くフィンとして形成されている。他方で構成要素は、設定された個数の第２のインデックスエレメントを持ち、このインデックスエレメントは、構成要素の先端側領域および／またはテーパ状外面における溝として形成されている。構成要素の第２のインデックスエレメントの個数に対応して、この構成要素は、インプラント本体に対して長手軸を中心とする回転位置または回転角度位置を、対応する個数取ることができる。好ましくは２つの第１のインデックスエレメントを、直径上に配置する。
【００１５】
本発明の場合、もう１つ別の実施形態では、インプラント本体が、溝として形成された第２のインデックスエレメントを、設定された個数持つが、構成要素は、径方向外側を向くフィンとして形成された第１のインデックスエレメントを、少なくとも１本持つ。自明のことであるが、第１のインデックスエレメントの個数は、１よりも大きく、この個数に、長手軸を中心とする第１のインデックスエレメントによる角度分割と、第２のインデックスエレメントによる角度分割とが適合され、構成要素は、インプラント本体に対して、設定されたさまざまに異なる各回転位置に、位置決めできる。
【００１６】
１つの特別な実施形態では、１つまたは複数のインデックスエレメントが、追加的な部品とくにスリーブの構成部分となり、このスリーブは、インプラント本体でとくにめくら穴として形成された取り付け穴の先端側領域に、回転しない状態で固定され、好ましくはプレスばめされている。本発明の場合さらに、構成要素の先端側末端に、別付けとして製造された部品を、回転しない状態で結合することができる。この部品は、少なくとも１つの、好ましくはフィンとして形成された、そして構成要素のテーパ状外面領域に突出するインデックスエレメントを持つ。インプラント本体であれ、かつ／または構成要素であれ、歯科用インプラントの別付けとして製造されたこの種の部品によって、インデックスエレメントの精密な製造および／または形成が可能となる。別な方法として、本発明の場合、インデックスエレメントを、インプラント本体および／または構成要素の一体型構成部分とすることができる。
【００１７】
本発明はさらに、上記や下記に実施形態および特許請求項で説明される種類の歯科用インプラントを持つインプラントシステムに関する。この場合インプラント本体は、さまざまな処方のため、とくにさまざまな外径と長さを持つ。また構成要素は、とくにさまざまに異なる形状の頭部領域を持ち、かつ／またはこの頭部領域は、ピンの長手軸に対してさまざまに異なる角度で配置することができる。しかしインプラント本体の中央の取り付け穴と、構成要素のピンとは、本発明の提案する方法によって形成され、かつ／または互いに適合されている。
【００１８】
本発明の特別な実施形態として、次のようなインプラントシステムを提案する。このインプラントシステムは、構成の異なるインプラント本体にも一致する形状の、かつ第２のインデックスエレメントを持つ構成要素を含む。このインプラントシステムは、前記に説明した第１のインデックスエレメントを持つ少なくとも１つのインプラント本体と、その種のインデックスエレメントを持たない少なくとも１つのインプラント本体とを含む。このインプラントシステムにおけるこれら両種類のインプラント本体は、知られている方法として、処方に応じて異なる長さおよび／または直径のものとすることができる。それに対して、これもまた同様にさまざまに異なる形状とすることができる構成要素には、これら両種類のインプラント本体のために、たとえば頭部領域がピンと同軸にされ、あるいは異なる角度に傾斜されている。こうして医学的処方に従って、構成要素の形状を一致させるために、回転位置をインデックス方式位置決めし、あるいは無段階で設定することができる。回転位置のインデックス方式位置決めにも、無段階調整にも、本発明によるインプラントシステムにおいては、同じ構成要素が用いられる。これにより、製造、貯蔵、調製のコストが、いちじるしく軽減される。それだけでなく、インデックスエレメントのため、とくにインプラント本体における同エレメントのため、別付けの部品および／または上記に説明したスリーブを設ければ、インプラント本体のコストもいちじるしく軽減することができる。なぜならば、上記別付けの部品を別にして、インプラント本体としてまず一致するものを製造し、次に使用目的に応じて、インデックスエレメントを備える別付けの部品が装備されるからである。
【００１９】
そのほか本発明のもう１つ別の特別な実施形態として、構成の異なる構成要素にも一致する形状のインプラント本体を含む、インプラントシステムを提案する。したがってこのインプラントシステムは、前記に説明した第１のインデックスエレメントを持つ少なくとも１つの構成要素と、その種のインデックスエレメントを持たない少なくとも１つの構成要素とを含む。したがって２種類の構成要素が設けられ、これらの構成要素は、知られているように処方に応じて異なる寸法および形状を持つ。この場合、構成の異なるインプラント本体を持つインプラントについて上記に説明したことが、同様に当てはまる。
【００２０】
本発明の発展形態および特別な実施形態を、従属請求項および下記の説明中に記載した。
【発明を実施するための最良の形態】
【００２１】
図面を用いて、本発明による歯科用インプラントの特別な実施形態を、詳細に説明する。以下の説明は、制限条件を付さずに行われる。
【００２２】
この手術２回型歯科用インプラントは、図１のとおり、中央の取り付け穴４と構成要素６とを持つインプラント本体２を含み、構成要素のピン８は、取り付け穴４と噛み合っている。インプラント本体２は、そのほぼ円筒形の外面１０に点線で示した雄ネジ１１を設けられ、先端側末端１２に球形に丸み付けられた末端面１４を持つ。顎骨に埋め込まれた先端側末端１２を出発点として、ネジ山フランクの形状は、咬合部または歯冠側末端１６に向かって、好ましくは連続して変化するものとする。雄ネジ１１は、１つの特別な実施形態では、先端側末端１２に向かってテーパ状に先細となるネジコアを持つ。別な方法として、雄ネジ１１および／またはそのコアを、段つきのものに形成することができる。さらには当該ネジ山において、歯冠側末端１６の側、すなわち咬合部側のネジ山フランクは平面状に形成し、先端側にあって形状が変化するネジ山フランクは、曲線的な凹面に形成すれば有利である。有利な方法として、インプラント本体２は、雄ネジ１１に続いて歯冠側末端１６の方向に、ネジ山がない領域１７を持つものとする。歯冠側末端１６またはそこに設けられた歯冠側末端面に、インプラント本体２は、横溝として形成された挿入および／またはねじ込みエレメント１８を備える。対応する挿入ツールを用いれば、これらのエレメントによって、インプラント本体を顎骨に挿入し、ねじ込むことができる。ここでとくに強調しておきたいのは、本発明の場合、インプラント本体の外側ジオメトリーおよび／または内側ジオメトリーは、それらがインプラント本体の雄ネジであろうと、ネジ山のない領域であろうと、あるいは挿入および／またはねじ込みエレメントであろうと、上記の説明に対応するものが形成できるということである。構成要素６は、インプラント本体２から突出する頭部領域２０を含み、この頭部領域は、長手軸２２を基準として設定された角度に傾斜され、上部構造または歯代替物を固定するのに用いられる。
【００２３】
めくら穴として形成されている中央の取り付け穴４は、ほぼ歯冠側末端１６から始まりながら当該末端に向かって開くテーパ状内面２４と、先端側末端１２側の雌ネジ２６とを持つ。長手軸２２と同軸の貫通口２８を持つ構成要素６を、テンションスクリュー３０が貫通し、このスクリューの内側末端には、ネジつきスリーブ３２が回転を固定されて（たとえばレーザー溶接による）取り付けられている。ネジつきスリーブ３２の外径は、貫通口２８の内径３３よりも、かつ／またはテンションスクリュー３０の貫通口２８を貫通する部分の外径よりも大きい。ネジつきスリーブ３２は、その雄ネジが、インプラント本体２の上記の雌ネジ２６に噛み込む。図から見て取れるように、ネジつきスリーブ３２の歯先は、貫通口２８の内径３３よりもいちじるしく大きい直径にある。換言すれば、貫通口２８の内径３３は、比較的小さく形成されているので、下記に説明するインデックスエレメントのため、ピン８の壁厚として、材料および強度に対する要求事項に対応する厚さのものを利用できる。
【００２４】
頭部領域２０では、貫通口は、スクリュー頭部３４を収めるための拡幅部を持つ。このスクリュー頭部は、テーパ状に先細の接触面３６に密着するのが合目的である。これにより、設定可能なトルクでテンションスクリュー３０を締め付ける際に、インプラント本体２に対する構成要素６の確定されたプリテンションが得られる。この場合、取り付け穴４に噛み込むピン８は、そのテーパ状外面３８が、中央の取り付け穴４のテーパ状内面２４に、設定されたプリテンションで密着する。テーパ状内面２４およびテーパ状外面３８の開口角度は、自己ロック型のテーパ結合部が生じるような角度を設定し、かつ／または形成する。このテーパ結合部は、空隙や遊びのない形状であって、インプラント本体２の中で、構成要素６の耐久性ある回転固定が得られる。
【００２５】
中央の取り付け穴４には、第１のインデックスエレメント４０が設けられ、このインデックスエレメントは、内側に長手軸２２を向くフィンとして形成されている。構成要素６は、第２のインデックスエレメント４２を持ち、このインデックスエレメントは、テーパ状外面３８に設けられた溝として形成されている。図から認められるように、第１のインデックスエレメント４０は、第２のインデックスエレメント４２に形状的結合として噛み込む。インデックスエレメント４０、４２を用いて、インプラント本体２に対する構成要素６の回転位置を、確定されたものとして設定できる。円周方向に見てインデックスエレメント４０、４２の間に、インプラント本体２とピン８のテーパ面２４、３８の面の一部があるが、これらはプリテンションにより相互間密着するのが合目的である。とくに重要なのは、第１および第２のインデックスエレメント４０、４２が、回転を固定するためではなく、有利な方法として単に回転位置を設定するためのみ用いられ、回転固定は、上記テーパ結合部によって行われることである。インデックスエレメント４０、４２は、中央の取り付け穴４の内部で、歯冠側末端面１６に対して設定された間隔を取った位置にある。インデックスエレメント４０、４２が、インプラント本体の雌ネジ２６に対し、かつ／または当該雌ネジに対応するテンションスクリューの雄ネジに対し、またとくにはネジつきスリーブ３２に対し、設定された軸方向間隔４３を取るところに位置することは、とくに重要である。これにより、テンションスクリュー３０によって、インプラント本体２に対する構成要素６の結合を生じるとき、ピン８の先端側末端では、インプラント本体２に対する構成要素６の必要な回転位置が、損傷を生じることなく信頼性をもって得られる。そのほかとくに留意されたいのは、第２のインデックスエレメント４２が、構成要素６の先端側領域４４に配置されることと、先端側領域４４と歯冠側末端１６の間で、円周方向に閉じたリングゾーン４６が、テーパ状外面３８をテーパ状内面２４に、遊びや空隙なしに、プリテンションのもとに密着させることである。ピン８を取り付け穴４に入れる挿入エレメント１８の領域でも、径方向の溝として形成された挿入エレメント１８を除けば、テーパ状外面３８またはその面の一部が、テーパ状の内面２４に、プリテンションのもとに密着する。図から認められるように、インプラント本体２は、歯冠側末端領域および／または外側で、とくにはリングゾーン４６に割り当てられたところで、ほぼ円筒形の外側輪郭を持つ。好ましくはその場所に、ネジ山のない領域１７が位置するものとする。上記の各実施形態では、雄ネジを、新たな方法として、少なくともほぼ歯冠側末端１６まで、好ましくはネジ山の谷の深さを減じて、設けることもできる。好ましくは、本発明によるインプラント本体２は、歯冠側末端１６に向かってテーパ状に拡幅された頭部領域を持たないのとする。
【００２６】
ここで重要なのは、先端領域４４は、そのインデックスエレメント４０、４２が、少なくともその一部をそして／または近似的に、雄ネジ１１のうちその谷の深さが減じられた部分４７に割り当てられていることである。にもかかわらず、雄ネジのこの軸方向の領域４７では、インプラント本体２は、強度および安定性に対する要求事項の点で十分大きい壁厚４９を持つ。このことは、とくに外径が比較的小さいインプラント本体の場合に重要である。雄ネジ１１の先端方向につながる領域の谷の深さと比較すると、領域４７では、谷の深さをいちじるしく小さく設定されていることに留意されたい。領域４７から、雄ネジ１１の先端方向に続くネジ山領域、すなわち谷の深さが大きいネジ山領域につながる移行部は、図示の場合、雄ネジ１１のネジコアがテーパ状に形成されているため、連続的な移行部であるが、本発明の場合、その代わりに、このほかにも不連続的な、そして／または段つき部のある、移行部を設けることができる。
【００２７】
上記の少なくとも１つの第１のインデックスエレメント４０は、スリーブ４８の構成部分であって、このスリーブは、取り付け穴４の中間領域５０では回転を固定され、とくには取り外しできない状態で、かつ／または溶接または接着のような固定結合によって固定されている。中間領域５０は、軸方向に見て、取り付け穴４のテーパ状内面２４と雌ネジ２６との間に位置する。単数または複数の第１のインデックスエレメント４０は、咬合部方向に、テーパ状内面２４の領域に突出する。
【００２８】
図２および図３は、構成要素６を示す。この構成要素のピン８は、テーパ状外面３８の領域で、凹面の溝として形成されたある個数のインデックスエレメント４２を、円周上均一に配分された状態で含む。この構成要素６は、円周方向に見てインデックスエレメントおよび／または溝４２の間に、テーパ状外面３８のテーパ状の面の一部を持つ。インデックスエレメント４２は、本発明の場合、半径方向内側、および／またはテーパ状外面３８によって決定される包絡線の内側に位置する。第２のインデックスエレメント４２または溝は、テーパ状外面３８の領域で、互いにほぼ平行な長手周縁５３を持てば有利である。第２のインデックスエレメント４２は、軸方向に少なくともその一部が、ピン８のテーパ状外面３８の中に延びる。またテーパ状外面３８は、そのテーパ状の面の一部５１が、構成要素の先端側末端５６まで延びる。本発明では、インデックスエレメント４２とテーパ状の外面３８とが、軸方向において少なくとも一部が相互に作用するので、この一体化によって次のような結果を得るのが好ましい。すなわち、ピン８の軸方向全長が大きいので、テーパ状外面３８および／またはその面の一部５１と、インプラント本体２で対応する形状のテーパ状内面との重なり合いが得られ、その際ピン８の全長をさらに拡大する必要はない。すなわち、軸方向のテーパ部長さや、接続されたインデックスエレメントの軸方向長さを加算するとすれば必要となるような全長は、持つ必要がない。本発明によって、インデックスエレメント４２をテーパ状外面３８と、少なくともその一部を、軸方向および／または半径方向に一体化することにより、ピン８の全長を比較的短いものとして維持しかつ／または達成しながら、機能上信頼性あるテーパ結合を得るのが好ましい。
【００２９】
溝４２は、長手軸２２に対して、設定された角度で傾斜配置され、この角度は、テーパ状外面３８の開孔角度のほぼ半分に相当する。図から認められるように、第２のインデックスエレメントまたは溝４２は、テーパ状外面３８全長の一部分の上だけに延びる。この場合、軸方向の長さ５２は、たとえば２ｍｍの規模とする。溝４２の深さ５４は、好ましくは０．１ｍｍ〜０．６ｍｍの規模および／または範囲、とくには０．２ｍｍ〜０．４ｍｍの規模および／または範囲とする。溝４２は、構成要素６の先端側末端５６で開いている形状なので、インプラント本体２で割り当てられた単数または複数のインデックスエレメントは、構成要素６を挿入する際、構成要素の溝４２に、問題なく導き入れることができる。
【００３０】
図４および図５は、スリーブ４８として形成された、インプラント本体の別付け部品を示す。スリーブ４８は、直径上に配置され、かつフィンとして形成された２つのインデックスエレメント４０を含む。径方向内側を向くフィン４０は、前記の構成要素の溝に対応する凸面表面を持つ。図から認められるように、フィン４０は、設定された長さを持ち、咬合部の方を向くスリーブ４８の上縁５８を越えて突出する。インプラントの内面６０のうち、周縁５８から先端方向を向く部分の少なくとも一部、および構成要素のテーパ状外面の少なくとも一部は、同じテーパ状に形成されている。フィン４２は、その自由な末端で厚さ６２であるが、この厚さは、好ましくは０．１ｍｍ〜０．６ｍｍの規模および／または範囲、とくには０．２ｍｍ〜０．４ｍｍの規模および／または範囲とする。この特別な実施形態では、スリーブ４８の内径６４を、好ましくは１．５ｍｍ〜２．３ｍｍの規模および／または範囲、さらに好ましくは１．６ｍｍ〜１．９ｍｍの規模および／または範囲、とくにはほぼ１．７５ｍｍとする。他方内面６０の傾斜角度６６は、少なくともほぼ５．７°とする。
【００３１】
図６から図９に記載する歯科用インプラントの実施形態は、基本的には上記の歯科用インプラントと同様であって、インプラント本体２と、ピン８を含む構成要素６とを持つ。この場合、図８は、図６の切断線Ａで長手軸を切った横断面図である。インデックスエレメント４０、４２は、インプラント本体およびピン８の互いに噛み合う歯車リムとして形成されている。図から認められるように、インプラント本体２のインデックスエレメント４０は、フィンまたは径方向内側を向く歯４０を含むが、ピン８はこれに対応して、溝として形成されたインデックスエレメント４２を含む。溝４２は、それぞれ互いに向かい合う側壁６８、６９を持ち、これら側壁は、互いに設定された径方向外側に開く角度７０で、配置されている。角度７０は、少なくとも３０°前後の範囲にあれば有利である。第１のインデックスエレメント４０は、歯部として、インプラント本体２の一体型構成部分をなす。インプラント本体２は、この実施形態の場合、少なくともほぼ歯冠側末端１６に達する雄ネジ１１を持ち、ネジ山のない領域はこの場合存在しない。しかし別な方法として、図１で説明したように、雄ネジを歯冠側末端より前で終わらせ、インプラント本体２は、当該ネジ山のない領域を持つものとすることもできる。この事情は、そのほかの実施形態にも当てはまる。そのほか、本発明による歯科用インプラントのさまざまな実施形態を、別な外側ジオメトリー、とくに雄ネジが異なる外側ジオメトリーのものとして、形成することができる。この場合、図示のようにネジコアをほぼテーパ状とする代わりに、ネジ山および／またはネジコアを、不連続的に、かつ／または少なくとも１つの段つき部を持つものとして、形成することができる。
【００３２】
図１０は、歯車リムまたはインデックスエレメント４０、４２のもう１つの実施形態を示す。この場合、側壁６８、６９は、互いにほぼ平行に配置されている。本発明の場合、インデックスエレメントまたは歯車リムは、その歯および／または溝とフィンとが、さらにこれとは別の分割を行われたもの、または別な個数のものも用いられることに、留意されたい。
【００３３】
図１３は、図１１を切断線Ｃにそって切った断面図であるが、図１１から図１４の歯科用インプラントの実施形態の場合、インデックスエレメント４０、４２は、ここでも互いに噛み合う歯部として形成されている。歯またはフィンと溝とは、この場合設定された半径の円形または丸みづけされた形状である。図１４から認められるように、この実施形態の場合も、ピン８の溝４２が、径方向に見て、テーパ状外面３８によって設定された包絡線の内側に配置されている。
【００３４】
最後に図１５から図１８の実施形態は、六角形のインデックスエレメント４０、４２を持つが、このことは、図１５を切断線Ｄで切った断面図である図１７からとくに認められる。図１８に記載するように、ピン８のインデックスエレメント４２は、テーパ状外面３８によって設定されたピン８の包絡線の内部に位置する。インデックスエレメント４２の六角柱の各面の間には、図１８に記載するように、テーパ状の面の一部５１が存在する。
【図面の簡単な説明】
【００３５】
【図１】歯科用インプラントを軸方向に切った断面図である。
【図２】構成要素の透視図である。
【図３】構成要素の一部断面図である。
【図４】２つのインデックスエレメントを持つ、別付けとして製造された部品であって、スリーブとして形成されているものである。
【図５】２つのインデックスエレメントを持つ、別付けとして製造された部品であって、スリーブとして形成されているものである。
【図６】歯科用インプラントのもう１つの実施形態であって、歯車リムとして形成されたインデックスエレメントを持つものの断面図である。
【図７】歯科用インプラントのもう１つの実施形態であって、歯車リムとして形成されたインデックスエレメントを持つものの断面図である。
【図８】歯科用インプラントのもう１つの実施形態であって、歯車リムとして形成されたインデックスエレメントを持つものの断面図である。
【図９】歯科用インプラントのもう１つの実施形態であって、歯車リムとして形成されたインデックスエレメントを持つものの断面図と透視図である。
【図１０】図８に類似する断面図であるが、歯部のジオメトリーが変更されている。
【図１１】歯科用インプラントのもう１つの実施形態であって、歯部が丸み付けられているインデックスエレメントを持つものの断面図である。
【図１２】歯科用インプラントのもう１つの実施形態であって、歯部が丸み付けられているインデックスエレメントを持つものの断面図である。
【図１３】歯科用インプラントのもう１つの実施形態であって、歯部が丸み付けられているインデックスエレメントを持つものの断面図である。
【図１４】歯科用インプラントのもう１つの実施形態であって、歯部が丸み付けられているインデックスエレメントを持つものの断面図と透視図である。
【図１５】歯科用インプラントのさらにもう１つの実施形態であって、六角形のインデックスエレメントを持つものの断面図である。
【図１６】歯科用インプラントのさらにもう１つの実施形態であって、六角形のインデックスエレメントを持つものの断面図である。
【図１７】歯科用インプラントのさらにもう１つの実施形態であって、六角形のインデックスエレメントを持つものの断面図である。
【図１８】歯科用インプラントのさらにもう１つの実施形態であって、六角形のインデックスエレメントを持つものの断面図と透視図である。
【国際調査報告】
2008528219.tif 000021
2008528219.tif 000022
2008528219.tif 000023
2008528219.tif 000024